(57)【要約】  【課題】  モータの回転軸への送風ファンの取付において、回転軸の先端にネジ部を設け、ネジ部の下部の回転軸にネジ山を形成し、同ネジ山にＤカット状の平坦面を形成し、回転止め座金の孔をネジ山の平坦面に合わせることにより、品質が向上し、メンテナンスが容易な送風ファンの取付構造を提供する。  【解決手段】  回転軸４ａを備えたモータ４と、回転軸に挿入されるボス部８ａを有するハブ８と、ボス部を回転軸に締結固定する取付キャップ１３とボス部との間に回転止めの座金１４を具備した送風ファンの取付構造において、回転軸の先端部に回転軸より小径なネジ部４ｂを設け、ネジ部の下部の回転軸外周面に平坦面を形成するとともに、座金の孔を回転軸の外周面に合わせてなる構成とした。  【選択図】図４
2008101533.tif 000002
【特許請求の範囲】
【請求項１】
回転軸を備えたモータと、前記回転軸に挿入されるボス部を有するハブと、前記ボス部を前記回転軸に締結固定する取付キャップと前記ボス部との間に回転止めの座金を具備した送風ファンの取付構造において、
前記回転軸の先端部に、前記回転軸より小径なネジ部を設け、同ネジ部の下部の前記回転軸外周面に平坦面を形成するとともに、前記座金の孔を前記回転軸の外周面に合わせてなることを特徴とする送風ファンの取付構造。
【請求項２】
前記取付キャップと前記座金との間に、座金押えを介在させてなることを特徴とする請求項１に記載の送風ファンの取付構造。
【発明の詳細な説明】
【技術分野】
【０００１】
本発明は、ターボファンなどの送風ファンの取付構造に係わり、より詳しくは、モータ回転軸と回転止め座金の孔にＤカット状の平坦面を形成して、品質を向上させ、メンテナンスが容易にできる構造に関する。
【背景技術】
【０００２】
従来のモータ回転軸への送風ファンの取付構造として、図５および図６に示すようなものが知られている（例えば、特許文献１参照。）。
【０００３】
図５に示すように、送風ファン３’のハブ３ｂ’の中心部にモータ４’の駆動軸４ａ’が直結されており、モータ４’の駆動に伴って送風ファン３’が回転するようになっている。送風ファン３’のハブ３ｂ’は、その中央部分が下側に凹陥され、この中央部分の上側にモータ４’を収容するための空間Ａ’を形成している。
【０００４】
そして、このハブ３ｂ’の中心部には、貫通孔３ｅ’が上下方向に貫通形成されており、この貫通孔３ｅ’にモータ４’の駆動軸４ａ’が上方から挿通されている。この駆動軸４ａ’の長さ寸法は、ハブ３ｂ’の板厚寸法よりも大きく、このため、該駆動軸４ａ’の先端部分は、ハブ３ｂ’の下側に突出された状態となっている。
【０００５】
そして、このハブ３ｂ’の下側に位置する駆動軸４ａ’の先端部分には、ハブ３ｂ’をモータ４’の駆動軸４ａ’に対して回転一体に取付けるための支持部材としてのボス部材１５’が装着されている。
【０００６】
また、図６に示すように、樹脂の一体成形品で成る支持部材としての絶縁ナット２０’を使用している。送風ファン３’のハブ３ｂ’は、その中心部に比較的大径の円筒状のボス部３ｇ’が一体形成されており、このボス部３ｇ’の内部には中心部に上下方向に延びる貫通孔２１ａ’を備えたブッシュ２１’が充填されている。また、このブッシュ２１’の貫通孔２１ａ’に、外周面にオネジが形成されたモータ４’の駆動軸４ａ’が挿通されている。また、この駆動軸４ａ’は、その一部が上下方向に亘って平坦面となる所謂Ｄカット状にされている。また、このブッシュ２１’の下面には後述する回転止め座金２２’の係止爪２２ｂ’が係止される複数の係止溝２１ｂ’が形成されている。
【０００７】
そして、絶縁ナット２０’は、ブッシュ２１’との間に回転止め座金２２’が介在された状態で駆動軸４ａ’に螺着されている。この回転止め座金２２’は、中心部に上記駆動軸４ａ’の形状に対応したＤカット状の貫通孔２２ａ’を備え、その外周面には上方に折り曲げられて成る複数の係止爪２２ｂ’が備えられている。そして、この貫通孔２２ａ’に駆動軸４ａ’を挿通した状態において係止爪２２ｂ’をブッシュ２１’下面の係止溝２１ｂ’に係合することにより、駆動軸４ａ’とハブ３ｂ’とが回転一体とされている。
【０００８】
しかしながら、上記取付構造の場合、駆動軸４ａ’のオネジ部分にＤカットが施されているため、このオネジ部分にバリが発生し、駆動軸４ａ’に絶縁ナット２０’を螺着する際、ネジ山のつぶれ等が生じ絶縁ナット２０’を確実に固定できないという問題がある。また、このバリを切除する場合には手間が掛かりコストアップとなってしまう。
【特許文献１】特許第３１８０５７６号公報（３〜４頁、図２、図９）
【発明の開示】
【発明が解決しようとする課題】
【０００９】
本発明は、上記問題点に鑑み、モータの回転軸への送風ファンの取付において、回転軸の先端部にネジ部を設け、同ネジ部の下部の前記回転軸外周面にＤカット状の平坦面を形成し、回転止め座金の孔を回転軸の外周面に合わせることにより、品質が向上し、メンテナンスが容易な送風ファンの取付構造を提供することを目的とする。
【課題を解決するための手段】
【００１０】
本発明は、上記課題を解決するため、請求項１は回転軸を備えたモータと、前記回転軸に挿入されるボス部を有するハブと、前記ボス部を前記回転軸に締結固定する取付キャップと前記ボス部との間に回転止めの座金を具備した送風ファンの取付構造において、
前記回転軸の先端部に、前記回転軸の径より小径なネジ部を設け、前記ネジ部の下部の前記回転軸外周面に平坦面を形成するとともに、前記座金の孔を前記回転軸の外周面に合わせてなる構成となっている。
【００１１】
また、請求項２は前記取付キャップと前記座金との間に、座金押えを介在させてなる構成となっている。
【発明の効果】
【００１２】
本発明によれば、請求項１の回転軸の先端部にネジ部を設け、ネジ部の下部の回転軸外周面にＤカット状の平坦面を形成するとともに、座金の孔を回転軸の外周面に合わせてなる構成とすることにより、品質が向上し、メンテナンスが容易な送風ファンの取付構造とすることができ、請求項２の取付キャップと座金との間に、座金押えを介在させてなる構成とすることにより、取付キャップの緩みがなく、ハブを回転軸に強固に締結固定することができるようになっている。
【発明を実施するための最良の形態】
【００１３】
以下、本発明の実施の形態を、送風ファンにターボファンを上下２段構成とした実施例として添付図面に基づいて詳細に説明する。
【実施例１】
【００１４】
図１は本発明によるターボファンを備えた天井埋込形空気調和機で、図２はターボファンの斜視図で、見易さのために、実際に天井に取付けられる際と上下逆に描いている。図３（Ａ）はターボファン取付構造を示す展開斜視図で、図３（Ｂ）はモータ回転軸と座金の取付状態を示す上面図で、図４はモータ回転軸とハブのボス部の取付関係を示す要部拡大断面図である。
【００１５】
天井カセット型空気調和機は図１で示すように、１は天井面に埋め込まれるケース本体、２は同ケース本体１の下面中央に設けられた吸込口、３は下面周辺に設けられた吹出口、４は前記ケース本体１内に形成された前記吸込口２と前記吹出口３とを結ぶ空気通路に設けられ、前記吸込口２に対向して上下方向の回転軸４ａを有したファンモータ、５は同ファンモータ４の回転軸４ａにより駆動される送風ファン、６は同送風ファン５と前記吹出口３との間に配置された熱交換器、７は前記送風ファン５と前記吸込口２との間に設けられたベルマウスである。
【００１６】
前記送風ファン５は、図２に示すように、前記ファンモータ４の回転軸４ａが固定される中央部を釣鐘状に膨出させた略円盤状のハブ８と、前記吸込口２に向かい流入口を開口した円環状のシュラウド９と、同シュラウド９と前記ハブ８との間に配設された複数のブレード１０と、前記ハブ８および前記シュラウド９間の流路を上下に区画する仕切板１１とからなっている。同仕切板１１は、一端が前記シュラウド９の上端を同心円状に区画するとともに、他端が前記流路の出口を上下方向に区画されている。
【００１７】
また、前記ブレード１０は、前記ハブ８および前記シュラウド９間の流路を前記仕切板１１により上下２段に区画され、前記仕切板１１と前記シュラウド９間の上段ブレード１０ａと、前記ハブ８と前記仕切板１１間の下段ブレード１０ｂとにより構成されている。
【００１８】
図１に示すように、前記ケース本体１の上面壁に螺子等により固定されたファンモータ４の回転軸４ａが前記ハブ８の中央部に固定されるようになっており、前記駆動モータ４により前記ハブ８、前記シュラウド９及び前記ブレード１０が一体となって回転すると、前記シュラウド９の流入口から室内の空気が吸引され、続いて前記ブレード１０の回転に伴い前記熱交換器６に向かい放射状に空気が吐出されるようになっている。
【００１９】
図３（Ａ），（Ｂ）及び図４（Ａ），（Ｂ）に示すように、前記ハブ８の中央部に、前記回転軸４ａに挿入されるボス部８ａが設けられ、同ボス部８ａの内部にゴム等のスリーブ１２が挿入され、このスリーブ１２に前記回転軸４ａが挿入されている。また、前記スリーブ１２の下部の前記回転軸４ａに、前記ハブ８（送風ファン）が下方にズレるのを防止するため、図４（Ｂ）に示すＥリング１６が取付られている。そして、図４（Ｃ）に示すように、前記回転軸４ａの上部に、前記回転軸４ａの径より小径なネジ部４ｂが形成され、このネジ部４ｂに前記ボス部８ａを締結固定する取付キャップ１３が螺着される。更に、前記取付キャップ１３と前記ボス部８ａとの間に、前記回転軸４ａと前記ハブ８が一体で回転するように座金１４と座金押え１５が挿入されている。
【００２０】
前記座金の外周部には前記ボス部８ａに向け複数の係止爪１４ａが設けられると共に、前記スリーブ１２に前記係止爪１４ａに対応する係止穴１２ａが設けられ、同係止穴１２ａに前記係止爪１４ａが嵌め込まれるようになっている。
【００２１】
また、前記ネジ部４ｂの下部の前記回転軸４ａの外周面にＤカット状の平坦面４ｃ（図４Ｃ参照）が形成されるとともに、前記座金１４の孔を前記回転軸４ａの平坦面４ｃに合わせたＤカット状の平坦面にした構成となっている。
【００２２】
また、前記座金押え１５は、フランジ部１５ａと前記取付キャップ１３側へ突設する凸部１５ｂとから構成されている。
【００２３】
そして、前記回転軸４ａと前記座金１４の平坦面を一致させて、前記座金１４を前記回転軸４ａに挿入し、前記取付キャップ１３を前記ネジ部４ｂに螺着し，前記座金押え１５の前記凸部１５ｂを押圧することにより、前記座金１４を前記ボス部８ａの前記スリーブ１２に密着固定する。
【００２４】
これにより、前記回転軸４ａと前記ハブ８が一体で回転するようになされている。
【００２５】
以上説明したように、回転軸を備えたモータと、前記回転軸に挿入されるボス部を有するハブと、前記ボス部を前記回転軸に締結固定する取付キャップと前記ボス部との間に回転止めの座金を具備した送風ファンの取付構造において、前記回転軸の先端部にネジ部を設け、前記ネジ部の下部の前記回転軸外周面にＤカット状の平坦面を形成するとともに、前記座金の孔を前記回転軸の外周面に合わせてなる構成とし、また、前記取付キャップと前記座金との間に、座金押えを介在させてなる構成とすることにより、品質が向上し、メンテナンスが容易な送風ファンの取付構造とすることができる。
【図面の簡単な説明】
【００２６】
【図１】本発明による天井埋込形空気調和機を示す断面図である。
【図２】本発明による送風ファンを示す斜視図である。
【図３】本発明による（Ａ）は送風ファン取付構造を示す展開斜視図で、（Ｂ）はモータ回転軸と座金の取付状態を示す上面図である。
【図４】本発明によるモータ回転軸とハブのボス部の取付関係を示す要部拡大断面図である。
【図５】従来例による送風ファンの取付構造を示す要部断面図である。
【図６】従来例による回転軸に送風ファンを取付ける手順を示す展開斜視図である。
【符号の説明】
【００２７】
１  ケース本体
２  吸込口
３  吹出口
４  ファンモータ
４ａ  回転軸
４ｂ  ネジ部
４ｃ  平坦面
５  送風ファン（ターボファン）
６  熱交換器
７  ベルマウス
８  ハブ
８ａ  ボス部
９  シュラウド
１０  ブレード
１０ａ  上段ブレード
１０ｂ  下段ブレード
１１  仕切板
１２  スリーブ
１２ａ  係止穴
１３  取付キャップ
１４  座金
１４ａ  係止爪
１５  座金押え
１６  Ｅリング
【図１】
2008101533.tif 000003
【図２】
2008101533.tif 000004
【図３】
2008101533.tif 000005
【図４】
2008101533.tif 000006
【図５】
2008101533.tif 000007
【図６】
2008101533.tif 000008